(57)【要約】【課題】入力装置及び電気光学装置に対する配線構造に起因して生ずるコンパクト化に対する障害を排除することのできる新規の装置構成を提供する。【解決手段】入力装置付電気光学装置２００は、表面の被接触位置を検出可能で、かつ、実質的に可視光を透過可能に構成された入力装置２２０と、当該入力装置を通して視認可能な表示を構成する電気光学装置２１０とを備え、前記入力装置の配線経路が前記電気光学装置に導電接続されていることを特徴とする。導電接続部材２３０は、入力装置と電気光学装置２１０の基板２１１との間に配置され、両者を相互に支持した状態とする。【選択図】          図１
2004213413.tif 000002
【特許請求の範囲】
【請求項１】
実質的に可視光を透過可能に構成された入力装置と、
前記入力装置を通して視認可能な表示を構成する電気光学装置と、
前記入力装置の表面における被接触位置を検出するための配線経路とを備え、前記配線経路が前記電気光学装置に設けられていることを特徴とする入力装置付電気光学装置。
【請求項２】
前記配線経路は、前記入力装置と前記電気光学装置との間に配置された導電接続部材を介して前記入力装置と接続されていることを特徴とする請求項１に記載の入力装置付電気光学装置。
【請求項３】
前記導電接続部材により前記入力装置と前記電気光学装置とが相互に支持されていることを特徴とする請求項２に記載の入力装置付電気光学装置。
【請求項４】
前記電気光学装置は、電気光学物質層と、当該電気光学物質層に対して前記入力装置とは反対側に配置された基板とを有し、前記導電接続部材は、前記入力装置と前記基板とを相互に支持していることを特徴とする請求項３に記載の入力装置付電気光学装置。
【請求項５】
前記導電接続部材は、前記入力装置及び前記電気光学装置の外周部に配置されていることを特徴とする請求項２乃至４のいずれか一項に記載の入力装置付電気光学装置。
【請求項６】
前記導電接続部材を含む支持構造により、前記入力装置と前記電気光学装置との間に隙間が設けられていることを特徴とする請求項２乃至５のいずれか一項に記載の入力装置付電気光学装置。
【請求項７】
前記導電接続部材は、前記入力装置と前記電気光学装置との間に介挿された導電接続層により構成されていることを特徴とする請求項２又は３に記載の入力装置付電気光学装置。
【請求項８】
前記電気光学装置には、前記表示を構成するための信号を入力する入力端子と、前記配線経路に導電接続された検出端子とが設けられていることを特徴とする請求項１乃至７のいずれか一項に記載の入力装置付電気光学装置。
【請求項９】
前記入力端子及び前記検出端子は、共通の配線部材に導電接続されていることを特徴とする請求項８に記載の入力装置付電気光学装置。
【請求項１０】
前記電気光学装置は液晶装置であることを特徴とする請求項１乃至９のいずれか一項に記載の入力装置付電気光学装置。
【請求項１１】
請求項１乃至１０のいずれか一項に記載の入力装置付電気光学装置と、前記入力装置における前記被接触位置を検出する位置検出手段と、前記電気光学装置を制御する表示駆動手段とを有する電子機器。
【発明の詳細な説明】
【０００１】
【発明の属する技術分野】
本発明は入力装置を前面側に備えた入力装置付電気光学装置に係り、特に、入力装置の導電接続構造に関する。
【０００２】
【従来の技術】
一般に、コンピュータの手書き入力装置として使用されるタブレット装置や、携帯型情報端末（ＰＤＡ）などに使用されるタッチパネル型入力装置としては、抵抗膜方式、電磁誘導方式、静電容量方式などの各種の構造を有するものが知られている。上記の入力装置は、多くの場合、液晶表示パネル、ＣＲＴディスプレイなどの電気光学装置の表示面の前面側に重ねあわされるように配置された状態で使用される。
【０００３】
このような電気光学装置においては、通常、電気光学装置を構成するガラス等の基板上にタッチパネル型入力装置を直接接着固定したり、或いは、当該基板上に両面接着シートなどの接着シートを介在させて入力装置を固定したりしていた。また、電気光学装置と入力装置とを透明弾性部材を介在させた状態で固定する装置も提案されている（例えば、特許文献１）。
【０００４】
上記のように入力装置を重ね合わせた電気光学装置の一例として、図１１には、従来の入力装置付電気光学装置１００の外観を示す。この装置１００では、電気光学装置１１０と、入力装置１２０とが相互に重ねあわされた状態で固定されている。電気光学装置１１０は、ガラス等で構成される基板１１１，１１２が図示しないシール材により所定のギャップを介して貼り合わされ、当該ギャップ内に図示しない液晶が封入されたものである。基板１１１，１１２には図示しない複数の電極が形成され、これらの電極によって液晶に電界を印加できるように構成されている。電極から配線が引き出され、この配線は、一方の基板１１１に設けられた基板張出部１１１Ｔ上に引き出され、この基板張出部１１１Ｔ上に実装されたフレキシブル配線基板１１５に導電接続されている。
【０００５】
また、入力装置１２０には、電気光学装置１１０の基板１１２上に固定されたガラス等で構成される基板１２１と、この基板１２１上に接着固定された樹脂フィルム１２２と、さらにその上に所定間隔で対向する樹脂フィルム１２３と積層配置されている。樹脂フィルム１２２，１２３には、互いに対向する内面上に透明電極が形成されており、一方の透明電極の所定方向両側には一対の金属電極が導電接続され、他方の透明電極の所定方向と直交する方向両側にも一対の金属電極が導電接続されている。これらの金属電極は、基板１２１と樹脂フィルム１２２との間に介挿されたフレキシブル配線基板１２５に導電接続されている。
【０００６】
この相互に対向する上記透明電極同士は、通常時においてはスペーサなどによって相互に接触しないように構成されている。そして、入力装置１２０の表面にペンや指などを接触させると、樹脂フィルム１２３が変形してその内面上の透明電極が、対向する樹脂フィルム１２２の内面上の透明電極に接触し、上記フレキシブル配線基板１２５を通して上記金属電極間に通電を行うことによって、上記の接触点の上記所定方向及びこれに直交する方向の位置に応じた抵抗値を検出できるように構成されている。
【０００７】
【特許文献１】
国際公開パンフレットＷＯ９８／２２８６７
【０００８】
【発明が解決しようとする課題】
上記従来の入力装置付電気光学装置１００においては、電気光学装置１１０と入力装置１２０とが互いに重ね合わされていることによって、装置１００が比較的コンパクトにまとめられている。しかしながら、この装置１００を電子機器の内部に設置する場合には、電気光学装置１１０のフレキシブル配線基板１１５と、入力装置１２０のフレキシブル配線基板１２５のそれぞれを機器側のコネクタ等に接続しなければならないので、機器側のコネクタ周辺部にある程度の空間が必要となるため、特に携帯型電子機器の場合には、機器本体のコンパクト化や薄型化を妨げる大きな要因の一つとなっている。
【０００９】
また、従来の入力装置付電気光学装置１００では、入力装置１２０が、例えば、全面接触や、両面テープ等を介した辺接触等により、直接もしくは間接的に電気光学装置１１０に接触しているため、入力装置１２０にペンや指などを接触させたときに、背後にある電気光学装置１１０の表示領域にも圧力が加わり、その結果、特に液晶表示装置においては基板間ギャップが変化するため、表示品位が損なわれるという問題点がある。この問題点は、上記特許文献１においても解決しようとしているが、この文献に記載された装置であっても、程度の差こそあれ、何らかの圧力は電気光学装置１１０に加わってしまう。
【００１０】
さらに、入力装置においては、ガラス等で構成される基板１２１とフレキシブル配線基板１２５との熱膨張係数が大きく異なることから、フレキシブル配線基板１２５に浮き（剥がれ）が発生し、基板１２１とフレキシブル配線基板１２５との間において導通不良が発生しやすいという問題点もある。
【００１１】
そこで本発明は上記問題点を解決するものであり、その課題は、入力装置及び電気光学装置に対する配線構造に起因して生ずるコンパクト化に対する障害を排除することのできる新規の装置構成を提供することにある。また、もう一つの課題は、入力装置から電気光学装置へ及ぼされる圧力に起因して生ずる電気光学装置における障害を排除することのできる新規の装置構成を提供することにある。さらに、別の課題は、入力装置の配線経路の導通不良の発生を低減することにある。
【００１２】
【課題を解決するための手段】
上記課題を解決するために本発明の入力装置付電気光学装置は、実質的に可視光を透過可能に構成された入力装置と、前記入力装置を通して視認可能な表示を構成する電気光学装置と、前記入力装置の表面における被接触位置を検出するための配線経路とを備え、前記配線経路が前記電気光学装置に設けられていることを特徴とする。
【００１３】
この発明によれば、入力装置の配線経路が電気光学装置に設けられていることにより、電気光学装置を介して入力装置に対する入力状況を検出することができるようになるので、入力装置から直接配線を引き出す必要がなくなり、その分、装置を各種機器内に設置する場合の設置態様をコンパクト化することができるとともに機器側のコネクタ構造も簡易化することができる。また、入力装置に対して固定された電気光学装置に配線経路が導かれている場合には、入力装置の配線引出部の導通信頼性を高めることもできる。
【００１４】
本発明において、前記配線経路は、前記入力装置と前記電気光学装置との間に配置された導電接続部材を通して前記電気光学装置と接続されていることが好ましい。これによって、入力装置と電気光学装置との間の導電接続構造を、入力装置及び電気光学装置の間に配置することができるので、全体をコンパクトに構成できる。
【００１５】
本発明において、前記導電接続部材により前記入力装置と前記電気光学装置とが相互に支持されていることが好ましい。導電接続部材により入力装置と電気光学装置とが相互に支持されていることにより、入力装置と電気光学装置との間に生ずる応力の少なくとも一部を導電接続部材を介して受け止めることができるので、入力装置に及ぼされるペンや指などの接触圧による電気光学装置の表示面への影響を低減できる。特に、液晶表示装置などのように撓みによって影響を受けやすいパネル構造を有する電気光学装置においては、接触圧に起因する表示品位の低下を効果的に抑制することができる。
【００１６】
本発明において、前記電気光学装置は、電気光学物質層と、当該電気光学物質層に対して前記入力装置とは反対側に配置された基板とを有し、前記導電接続部材は、前記入力装置と前記基板とを相互に支持していることが好ましい。導電接続部材が電気光学装置において電気光学物質層に対して入力装置とは反対側に設けられた基板を支持していることによって、入力装置に加えられた接触圧が電気光学物質に一切及ぼされないように構成できる。ここで、電気光学物質の背後にある基板に、その前方に配置された部分の外形から張り出した張り出し部分を設け、当該張り出し部分に上記導電接続部材が接続されるように構成することが望ましい。
【００１７】
本発明において、前記導電接続部材は、前記入力装置及び前記電気光学装置の外周部に配置されていることが望ましい。これによって、導電接続部材による導電接続作業を容易化することができるとともに、導電接続状態の点検や確認、或いは、修復なども容易になる。また、導電接続部材によって入力装置と電気光学装置とを支持している場合には、その支持の安定性を高めることができる。特に、入力装置及び電気光学装置が平面視矩形である場合には、その四隅にそれぞれ前記導電接続部材が配置され、当該四隅で入力装置と電気光学装置とを支持した構造とすることが効果的である。
【００１８】
本発明において、前記導電接続部材を含む支持構造により、前記入力装置と、前記電気光学装置との間に隙間が設けられていることが好ましい。導電接続部材を含む支持構造によって入力装置と電気光学装置との間に隙間が設けられていることによって、入力装置に加えられる接触圧が電気光学装置に伝わらないため、当該接触圧による電気光学装置への直接的影響を排除することができる。ここで、上記隙間は０．５ｍｍ以上であることが望ましい。０．５ｍｍ以上の隙間が設けられていることにより、通常の入力装置への操作態様であれば、干渉縞の発生や入力装置の撓みによる電気光学装置への影響をほぼ完全に排除できる。
【００１９】
本発明において、前記導電接続部材は、前記入力装置と前記電気光学装置との間に介挿された導電接続層により構成されていることが好ましい。これによって、導電接続部材の厚さを低減することができ、装置全体を薄型化できる。ここで、導電接続層に接触性を与える場合（すなわち導電接着層とする場合）には、入力装置と電気光学装置とを確実に接着固定できる。また、導電接続層として異方性導電層を用いることによって入力装置の複数の配線経路を一箇所で一括して導電接続させることができる。
【００２０】
本発明において、前記電気光学装置には、前記表示を構成するための信号を入力する入力端子と、前記配線経路に導電接続された検出端子とが設けられていることが好ましい。特に、入力端子と検出端子とが相互に近接配置されていることによって、機器側との導電接続部をコンパクトに構成できる。
【００２１】
本発明において、前記入力端子及び前記検出端子は、共通の配線部材に導電接続されていることが好ましい。入力端子と検出端子とが共通の配線部材に導電接続されていることによって、入力装置に対する配線構造と、電気光学装置に対する配線構造とを一体に構成することができるため、装置を設置する機器側の接続構造をも含めたコンパクト化を実現できる。
【００２２】
上記各発明において、前記電気光学装置としては、液晶表示装置、有機ＥＬ（エレクトロルミネッセンス）装置、ＰＤＰ（プラズマディスプレイパネル）、ＦＥＤ（フィールドエミッションディスプレイ）などが挙げられる。これらの中でも、特に、電気光学装置が液晶表示装置である場合には、接触圧の表示への影響が大きい分、効果的である。
【００２３】
また、本発明の電子機器は、上記いずれかに記載の入力装置付電気光学装置と、前記入力装置における前記被接触位置を検出する位置検出手段と、前記電気光学装置を制御する表示駆動手段とを有するものである。電子機器としては、特に、小型化及び薄型化が容易である点で携帯電話、携帯型情報端末、電子腕時計などの携帯型電子機器であることが好ましい。
【００２４】
【発明の実施の形態】
次に、添付図面を参照して本発明に係る入力装置付電気光学装置の実施形態について詳細に説明する。
【００２５】
［第１実施形態］
図１は、本発明に係る第１実施形態の入力装置付電気光学装置及び電子機器を示す概略構成図である。この入力装置付電気光学装置２００は、電気光学装置２１０と、入力装置２２０とが相互に重ねあわされたものである。電気光学装置２１０には、ガラスやプラスチック等で構成される透明な基板２１１と２１２とが図示しないシール材等によって貼り合わされ、その間に図示しない電気光学物質、すなわち液晶が封入されている。基板２１１には、基板２１２の外形よりも外側に張り出した一対の基板張出部２１１Ｔ，２１１Ｔが両端に形成されている。これらの基板張出部２１１Ｔ，２１１Ｔには、複数の導電接続パターン２１６が形成されている。図示例の場合、導電接続パターン２１６は基板２１１の四隅に配置されている。これらの導電接続パターン２１６からはそれぞれ配線２１７が一方の基板端部まで引き出され、その先端に検出端子２１７ａが設けられている。この基板端部には電気光学装置２１０の表示領域Ａ内から複数の配線２１０ａも引き出されている。これらの配線２１０ａの先端には入力端子２１０ｂが形成されている。これらの検出端子２１７ａ及び入力端子２１０ｂには、フレキシブル配線基板などで構成される配線部材２１５が導電接続されている。上記端子２１７ａ，２１０ｂと配線部材２１５とは、好ましくは異方性導電膜（ＡＣＦ）によって導電接続される。
【００２６】
入力装置２２０は、ガラス等で構成された透明な基板２２１と、この基板２２１上に配置された透明な検出フィルム２２２と、その上に配置された絶縁枠２２３と、さらにその上に配置された検出フィルム２２４とを有している。また、入力装置２２０の内部には、図示Ｘ方向両側に配置された一対のＸ電極２２５Ｘ，２２５Ｘと、図示Ｙ方向両側に配置された一対のＹ電極２２５Ｙ，２２５Ｙとが配置されている。
【００２７】
入力装置２２０の基板２２１と、電気光学装置２１０の背面側の基板２２１とは、ハンダボールなどの導電材料で構成された導電接続部材２３０によって導電接続されている。この導電接続部材２３０は、電気光学装置２１０と入力装置２２０の間に配置される。導電接続部材２３０は、電気光学装置２１０と入力装置２２０とを相互に支持している。導電接続部材２３０としては、上記のハンダボールの他に、導電性ゴム、導電性ピンなどによって構成することもできる。
【００２８】
上記の配線部材２１５は、電子機器の内部に設置されたコネクタ２５０に接続されている。このコネクタ２５０は、表示駆動回路２９０と、位置検出回路２８０とに導電接続される。表示駆動回路２９０及び位置検出回路２８０は、ＣＰＵ２７０にそれぞれ接続されている。ＣＰＵ２７０は、記憶装置であるＲＯＭ２７１及びＲＡＭ２７２に接続されている。表示駆動回路２９０は、ＣＰＵ２７０からの指令に基づいて表示信号等を送出し、電気光学装置２１０の表示駆動を行うように構成されている。この表示駆動回路２９０の詳細は後述する。また、位置検出回路２８０は、上記配線２１７に対して検出端子２１７ａを介して電圧を供給するとともに、配線２１７から検出端子２１７ａを介して検出信号を受け、この検出信号に応じた被接触位置の座標データをＣＰＵ２７０に送出するように構成されている。ＣＰＵ２７０は、ＲＯＭ２７１から呼び出されたプログラムに応じて動作し、ＲＡＭ２７１に一時的にデータを保存させながら、上記表示駆動回路２９０及び位置検出回路２８０を適宜に制御する。
【００２９】
図２は、上記入力装置２２０の概略構成を示す分解斜視図である。基板２２１には、表裏を貫通する複数の導電接続部２２１ａ，２２１ｂが形成されている。これらの導電接続部２２１ａ，２２１ｂは、たとえば、基板２２１に貫通孔を形成し、この貫通孔の内部に導電材（たとえば導電性ペースト）を充填したり、導電性メッキ層などの導電材を被着したりすることによって構成される。導電接続部２２１ａ，２２１ｂは、上記電気光学装置２１０の基板２２１上に形成された導電接続パターン２１６に対応する位置（図示例では基板２２１の四隅）に配置されている。
【００３０】
検出フィルム２２２，２２４は、それ自体が所定の抵抗率を有する電気伝導性の導電素材によって構成されていてもよく、或いは、樹脂フィルムなどの絶縁性基体上に透明導電膜などを形成したものであってもよい。後者の場合には、透明導電膜は、検出フィルム２２２と２２４の相互に対向する内面上にそれぞれ形成される。検出フィルム２２２には、上記導電基材や透明導電膜に導電接続された一対のＸ電極２２５Ｘが、図示Ｘ方向の両端部に形成されている。また、検出フィルム２２４には、上記導電基材や透明導電膜に導電接続された一対のＹ電極２２５Ｙが，図示Ｙ方向の両端部に形成されている。
【００３１】
絶縁枠２２３は、上記検出フィルム２２２と２２４との間に介挿される。絶縁枠２２３は、検出フィルム２２２と２２４の外周部において絶縁スペーサとして機能し、検出フィルム２２２，２２４の対向する導電基材又は透明導電膜同士の距離を確保している。また、対向する導電基材又は透明電極膜の間には、絶縁性のスペーサ２２６が分散配置されていてもよい。
【００３２】
Ｘ電極２２５Ｘは、検出フィルム２２２に設けられた導通部２２２ｂを介して基板２２１の導電接続部２２１ｂに導電接続される。また、Ｙ電極２２５Ｙは、絶縁枠２２３に設けられた導通部２２３ａと、検出フィルム２２２の導通部２２４ａを介して基板２２１の導電接続部２２１ａに導電接続される。これらの各導通部は、いずれも貫通孔とその内部に配置された導電材とによって構成できる。
【００３３】
上記のように構成された入力装置２２０においては、表面をペン先や指先によって軽く押圧すると、検出フィルム２２４が局部的に撓み、その内面は、対向する検出フィルム２２２の内面に接触する。この接触点の位置は、以下のようにして検出できる。まず、図１に示す位置検出回路２８０により、一対のＸ電極２２５Ｘ、２２５Ｘの間に所定の電圧を印加すると、検出フィルム２２２には、図示Ｘ方向に所定の電位勾配が形成される。したがって、検出フィルム２２２の内面が上記接触点にて検出フィルム２２４の内面に接触すると、検出フィルム２２４の電位は上記接触点の図示Ｘ方向の座標に対応した値となるので、この値を検出フィルム２２４に設けられたＹ電極２２５Ｙを介して検出することにより、接触点のＸ座標が決定される。一方、位置検出回路２８０により、一対のＹ電極２２５Ｙ，２２５Ｙの間に所定の電圧を印加する。これによって、検出フィルム２２４には、図示Ｙ方向に所定の電位勾配が形成される。したがって、検出フィルム２２４の内面が上記接触点にて検出フィルム２２２の内面に接触すると、検出フィルム２２２の電位は上記接触点の図示Ｙ方向の座標に対応した値となるので、この値を検出フィルム２２２に設けられたＸ電極２２５Ｘを介して検出することにより、接触点のＹ座標が決定される。そして、このようなＸ座標の検出とＹ座標の検出とを常時繰り返し行うことによって、入力装置２２０に対する被接触位置（すなわち、ペンや指による接触を受けた位置）の座標をリアルタイムで検出できる。
【００３４】
図３は、本実施形態の入力装置付電気光学装置の完成状態の構成例を示すものである。この入力装置付電気光学装置２００では、導電接続部材２３０が入力装置２２０と電気光学装置２１０の間に配置され、両者を導電接続しているとともに、両者を相互に支持している。このように、入力装置２２０の配線経路が電気光学装置２２０に導電接続されていることによって、外部との間の全ての電気的入出力部を電気光学装置２１０に設けることができるため、装置を各種機器内に配置する場合に、その収容空間を低減し、コンパクトに設置することができる。また、導電接続部材を入力装置と電気光学装置との間に配置することによって、装置全体のコンパクト性を損なうことなく構成でき、取り扱い性も向上させることができる。
【００３５】
また、本実施形態では、入力装置から直接外部と導電接続するための配線部材を設ける必要がないため、従来の入力装置において頻繁に問題となっていた、入力装置と配線部材との導電接続部分の低い信頼性に起因する導通不良の発生を低減することができる。
【００３６】
図５は、図３に示す入力装置付電気光学装置２００の一部を拡大して示す拡大部分断面図である。この図に示すように、導電接続部材２３０による支持によって、電気光学装置２１０の前面部と、入力装置２２０の背面部との間に隙間ｔが形成されている。また、電気光学装置２２０では、基板２１１の内面上にＩＴＯ（インジウムスズ酸化物）等の透明導電体で構成される透明電極２１１ａと、配向膜２１１ｂとが設けられ、基板２２１の内面上にも、透明電極２１２ａと、配向膜２１２ｂとが設けられている。また、基板２１１と２１２とはシール材２１９を介して接合され、基板間には、液晶ＬＣが封入されている。この液晶ＬＣの厚さ、すなわち基板間ギャップＧは通常、液晶ＬＣの電気光学効果に対応する所定の値（例えば３〜１０μｍ）に設定されている。この基板間ギャップＧは、たとえばスペーサＳＰによって規制される。また、電気光学装置２１０の基板２１２の外面には偏光板２１３が配置され、基板２１１の外面には偏光板２１４が配置されている。これらの偏光板２１３，２１４は、液晶ＬＣの構成に応じてその偏光透過軸が相互に所定の角度配置になる姿勢関係で配置されている。
【００３７】
本実施形態では、上記の隙間ｔが形成されていることによって、入力装置２２０に加わるペンや指などによる接触圧が、電気光学装置２１０に直接に伝わることがなくなり、当該接触圧に起因する応力は、導電接続部材２３０を介して電気光学装置２１０に伝達される。したがって、電気光学装置２１０の表示領域Ａ（図１参照）への上記接触圧の影響はほとんど消失する。
【００３８】
特に、本実施形態の場合、導電接続部材２３０は、電気光学装置２１０の前面側の基板２１２ではなく、背面側の基板２１１（すなわち、電気光学物質である液晶よりも背後にある基板）を支持しているので、入力装置２２０から伝達される上記応力は、背面側の基板２２１にのみ伝達されるため、直接的には、基板２１１と２１２の間の基板間ギャップＧに影響を全く与えない。したがって、上記接触圧に起因する電気光学装置２１０の表示品位の変化をより完全に防止できる。
【００３９】
ここで、上記の電気光学装置２１０の前面部と入力装置２２０の背面部との間の隙間は、０．５ｍｍ以上であることが好ましい。これ以下に設定すると、入力装置に加わる接触圧によって入力装置が撓んだときに、上記隙間が小さくなることによって干渉縞が発生したり、或いは、入力装置の背面部が一時的に電気光学装置の前面部に接触してしまったりといった事態が生じうるからである。
【００４０】
さらに、上記のように電気光学装置２１０と入力装置２２０との間に隙間ｔを空けた場合には、入力装置２２０は、図示例のようにガラス等で構成された比較的剛性の高い基板２１１（支持基板）を背面側（検出フィルムの背後）に有していることが好ましい。このような支持基板を有していることによって、入力装置２２０の大きな変形を防止することができ、入力操作性も向上させることができる。
【００４１】
なお、図３に示すように、検出フィルム２２４の表面上には、さらに保護フィルム２２７を配置したほうが好ましい。保護フィルム２２７を配置することによって、検出フィルム２２４の磨耗や局所的な変形応力の集中を緩和することができるので、耐久性を向上させることができる。
【００４２】
また、入力装置付電気光学装置２００の電気光学装置２１０として透過型若しくは半透過反射型の液晶電気光学装置を用いる場合、図３に示すように、電気光学装置２１０の背後にバックライト２４０が配置される。このバックライト２４０は、ＬＥＤ（発光ダイオード）などの光源２４１と、アクリル樹脂などで構成された導光板２４２と、導光板２４２の背後に配置された光反射フィルムなどの光反射層２４３とを有するサイドライト型のバックライトとすることが厚さを低減する上で好ましい。
【００４３】
［第２実施形態］
次に、図４を参照して、本発明に係る第２実施形態について説明する。この実施形態では、電気光学装置３１０において、基板３１１と３１２とで液晶を挟持した基本構造は上記第１実施形態と全く同様であり、同様の部分についての説明は省略する。また、入力装置３２０もまた上記第１実施形態の入力装置２２０とほぼ同様に構成されているため、その同様部分についての説明は省略する。さらに、バックライト３４０は、光源３４１、導光板３４２及び光反射層３４３を備え、上記第１実施形態の入力装置２４０と全く同様である。
【００４４】
この実施形態において、電気光学装置３１０は、基板３１１の一端側にのみ、基板３１２の外形より張り出してなる基板張出部３１１Ｔが設けられている。そして、この基板張出部３１１Ｔ上に、全ての導電接続部材３３０が配置されている。入力装置３２０は、検出フィルム３２２，３２４、絶縁枠３２３及び保護フィルム３２７を備え、これら各部材についてはそれぞれ上記第１実施形態の入力装置２２０と全く同様である。ただし、基板３２１については、基板張出部３１１Ｔとは反対側に配置された導電接続部が配線パターン３２１ｓを引き回すことによって基板張出部３１１Ｔの上方位置に引き出され、当該上方位置において導電接続部材３３０に導電接続されている。
【００４５】
第１実施形態では、導電接続部材２３０が入力装置及び電気光学装置の四隅にて導電接続されていたが、本実施形態では、導電接続部材３３０が全て入力装置及び電気光学装置の一端部（すなわち基板張出部３１１Ｔ）において導電接続されている。この実施形態でも、導電接続部材３３０が入力装置３２０と電気光学装置３１０とを相互に支持している点で第１実施形態と同様である。ただし、電気光学装置３１０と入力装置３２０の反対側の端部において両装置を相互に支持するための支持部材（スペーサ）３５１を設けてある。
【００４６】
この実施形態では、導電接続部材３３０と、支持部材３５１とによって両装置が支持されているが、導電接続部材３３０によって両装置が支持されていること、或いは、導電接続部材３３０を含む支持構造によって両装置が支持されている点では第１実施形態と同様であり、第１実施形態と同様の作用効果を得ることができる。
【００４７】
［第３実施形態］
次に、図６を参照して、本発明に係る第３実施形態の入力装置付電気光学装置４００について説明する。この実施形態では、入力装置４２０において、先の実施形態の入力装置に設けられていた基板を省略し、一対の検出フィルム４２２，４２４を、絶縁枠４２３を介して積層させただけの構造としてある。これによって、装置４００全体のさらなる薄型化を図ることができる。
【００４８】
また、入力装置４２０は、電気光学装置４１０の前面側の基板４１２上に配置されている。入力装置４２０の背面と、電気光学装置４１０の前面との間には、導電接続層４３０が介挿されていて、この導電接続層４３０を介して入力装置４２０の検出系配線経路が電気光学装置４１０に導電接続されている。電気光学装置４１０の基板４１２には、フレキシブル配線基板やプリント配線パターンなどによって基板４１２の前面上から背面上に伸びる導電接続パターン４１６が設けられている。上記の導電接続層４３０は接着性をも有し、この導電接続パターン４１６の前面上の部分は、上記導電接続層４３０により、入力装置４２０の配線端子に導電接続状態で接着固定されている。また、導電接続パターン４１６は、配線部材４１５に導電接続されている。
【００４９】
本実施形態では、図示例のように、電気光学装置の一部を構成する偏光板４１３を入力装置４２０の前面側に配置してもよい。これによって、上記各実施形態の保護フィルムの代わりに偏光板４１３を用いることも可能である。
【００５０】
本実施形態では、第１実施形態と同様に、入力装置及び電気光学装置の四隅においてそれぞれ一つずつの導電接続部分が設けられた例を示してある。なお、２つ以上の導電接続パターンを近接配置して共通の導電接続層４３０で導電接続させようとする場合には、当該導電接続層４３０を異方性導電膜で構成することが好ましい。
【００５１】
なお、本実施形態でも、上記各実施形態と同様のバックライト４４０を設けることが好ましい。
【００５２】
［第４実施形態］
次に、図７を参照して、本発明に係る第４実施形態の入力装置付電気光学装置５００について説明する。この実施形態では、上記第３実施形態の入力装置４２０とほぼ同様の検出フィルム５２２，５２４及び絶縁枠５２３を備えた入力装置５２０を有している。ただし、この入力装置５２０では、複数の配線経路が全て一方の端部に集められ、その複数の導電接続部が近傍位置に配列されている。
【００５３】
また、電気光学装置５１０は、第３実施形態とほぼ同様の構成を有するが、第３実施形態とは逆の態様で、前面側の基板５１２が背面側の基板５１１の外形よりも外側に張り出してなる基板張出部５１２Ｔが一端にのみ形成されている。この基板張出部５１２Ｔには、上記と同様のフレキシブル配線基板やプリント配線パターンによって構成される導電接続パターン５１６が形成されている。この導電接続パターン５１６は、基板張出部５１２Ｔに全て配置され、これらの導電配線パターン５１６に対して導電接続層５３０を介して上記入力装置５２０の複数の配線経路にそれぞれ導電接続されている。この場合、導電接続層５３０は一体の異方性導電層であることが望ましい。上記導電接続パターン５１６は、配線部材５１５に導電接続されている。
【００５４】
この実施形態では、入力装置５２０と電気光学装置５１０との間に配置された導電接続層５３０によって両装置が接着固定されているが、さらに、その固定力を高めるための他の固定手段を適宜に設けてもよい。たとえば、上記のように導電接続層５３０の配置された一端側（図示右側）とは反対側においては、接着層５５１により入力装置５２０と電気光学装置５１０とを固定してもよい。
【００５５】
なお、本実施形態でも、上記各実施形態と同様のバックライト５４０を設けることが好ましい。
【００５６】
［第５実施形態］
次に、上記各実施形態に適用可能な他の入力装置の構成例について、図８及び図９を参照して説明する。図８は、本実施形態の入力装置６２０の構成を模式的に示す分解斜視図、図９は、同入力装置６２０の構造を模式的に示す概略断面図である。
【００５７】
この入力装置６２０は、検出フィルム６２２、絶縁フィルム６２３、検出フィルム６２４、絶縁枠６２５、検出フィルム６２６が順次に積層されたものである。検出フィルム６２２，６２４，６２６は、導電性基材によって構成されているか、或いは、検出フィルム６２２，６２４では図示の上面上に、検出フィルム６２６では図示の下面上に、それぞれ透明導電層が形成されたものである。検査フィルム６２２には、図示Ｘ方向両端部に一対のＸ電極６２７Ｘが形成され、また、そのＸ電極６２７間には、複数の突起６２２ｐが縦横に配列形成されている。絶縁フィルム６２３には、上記突起６２２ｐに対応する位置に、対応する大きさ及び形状の開口部６２３ｐが形成されている。これらの開口部６２３ｐは、やや上方に突出した枠状の開口縁を備えている。さらに、検出フィルム６２４には、上記開口部６２３ｐの突出した開口縁を収容可能な大きさ及び形状の開口部６２４ｐが形成されている。
【００５８】
図８に示す構造を相互に積層させると、図９に示すように、検出フィルム６２２の突起６２２ｐが絶縁フィルム６２３の開口部６２３ｐに挿入され、突起６２２ｐの上端は、開口部６２３ｐの上方へ突出した開口縁６２３ｑとほぼ同じ高さになるように嵌合する。そして、開口部６２３ｐの上方へ突出した開口縁６２３ｑは検出フィルム６２４の開口部６２４ｐの内部に挿入され、嵌合する。これによって、検出フィルム６２２、絶縁フィルム６２３及び検出フィルム６２４によって構成される積層体の表面（上面）には、図示のように、突起６２２ｐの上面と、検出フィルム６２４の表面とが絶縁フィルム６２３の開口縁６２３ｑによって相互に絶縁された状態で露出する。そして、その上には、絶縁枠６２５によって僅かに離反し接触しない状態の検出フィルム６２６の内面が対向配置されることになる。
【００５９】
この実施形態では、検出フィルム６２６の表面にペン先や指が触れると、図９に点線で示すように、検出フィルム６２６が部分的に撓み、絶縁フィルム６２３の開口縁６２３ｑを跨ぐ様にして、検出フィルム６２２の突起６２２ｐの上面と、これに隣接する検出フィルム６２４の表面とに接触するため、検出フィルム６２６を介して検出フィルム６２２と６２４とが導電接触する。この接触点の位置は、通常の抵抗膜方式の場合と同様の方法で検出することができる。すなわち、一対のＸ電極６２７Ｘ間に所定の電圧を印加すると、これらの電極間の検出フィルム６２２上にＸ方向の電位勾配が形成されるので、上記導電接触点のＸ方向の位置に応じた電位が検出フィルム６２４を介して一対の検出電極６２７Ｙに伝達されるため、検出電極６２７Ｙの電位を検出することによってＸ方向の位置を求めることができる。また、同様に、一対の検出電極６２７Ｙ間に所定の電圧を印加すると、これらの電極間の検出フィルム６２４上にＹ方向の電位勾配が形成されるので、上記導電接触点のＹ方向の位置に応じた電位が検出フィルム６２２を介して一対の検出電極６２７Ｘに伝達されるため、検出電極６２７Ｘの電位を検出することによってＹ方向の位置を求めることができる。この方式では、最も表面側に配置される検出フィルム６２６は導電性を有する必要があるが、その機能は局部的な導電性によって確保されるので、繰り返し応力によって部分的に導電性が失われても機能不良を生ずる可能性が少なくなり、耐久性を向上させることができるという利点がある。
【００６０】
［第６実施形態］
次に、図１０を参照して、本発明に係る上記各実施形態に用いることのできる別の入力装置の構成について簡単に説明する。上記の入力装置はいずれも電気抵抗を利用した検出方式の入力装置を採用したものであるが、本実施形態の入力装置は、静電容量方式の入力装置の構成例を示すものである。
【００６１】
この入力装置７２０においては、絶縁基板７２２上に、帯状のＸ電極７２７Ｘが図示左右方向に伸びる態様で複数ストライプ状に配列形成されている。また、これらのＸ電極７２７Ｘ上には、絶縁基板７２３が配置されている。この絶縁基板７２３上には、帯状のＹ電極７２７Ｙが図の紙面と直交する方向に伸びる態様で複数ストライプ状に配列形成されている。そして、これらのＹ電極６２７Ｙの上には絶縁基板７２４が配置されている。なお、上記のいずれの絶縁基板も可撓性の樹脂フィルムなどで構成することができる。
【００６２】
この入力装置７２０においては、Ｘ電極７２７Ｘ［ｉ］と、Ｙ電極７２７Ｙ［ｊ］との間の静電容量Ｃｏ［ｉ，ｊ］（ｉ＝１〜ｎ，ｊ＝１〜ｍ、ｎはＸ電極の数、ｍはＹ電極の数）は、ペンや指などが絶縁基板７２４の表面に接触すると、当該ペンや指とＹ電極７２３ｙとの間に静電容量Ｃｓが発生することによって変化する。このため、上記静電容量Ｃｏの変化したＸ電極７２７Ｘ［ｉ］と、Ｙ電極７２７Ｙ［ｊ］との組み合わせ［ｉ，ｊ］を検出することによって、接触点を知ることができる。
【００６３】
［電子機器］
最後に、図１２及び図１３を参照して、本発明に係る電子機器の実施形態について説明する。この実施形態では、上記入力装置付電気光学装置２００の電気光学装置２１０（電気光学装置或いは液晶電気光学装置）を表示手段として備えた電子機器について説明する。図１２は、本実施形態の電子機器における電気光学装置２１０に対する制御系（表示制御系）の表示駆動回路２９０の全体構成を示す概略構成図である。表示駆動回路２９０は、表示情報出力源２９１と、表示情報処理回路２９２と、電源回路２９３と、タイミングジェネレータ２９４とを含む表示制御回路２９０Ａと、駆動回路２９０Ｂとを含む。この駆動回路２９０Ｂは、通常、液晶パネルに直接実装されている半導体ＩＣチップ、パネル表面上に形成された回路パターン、或いは、液晶パネルに導電接続された回路基板に実装された半導体ＩＣチップ若しくは回路パターンなどによって構成することができる。
【００６４】
表示情報出力源２９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００６５】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２９０Ｂへ供給する。駆動回路２９０Ｂは、走査線駆動回路、信号線駆動回路及び検査回路を含む。また、電源回路２９３は、上述の各構成要素にそれぞれ所定の電圧を供給する。
【００６６】
図１３は、本発明に係る電子機器の一実施形態である携帯電話を示す。この携帯電話１０００は、操作部１００１と、表示部１００２とを有する。操作部１００１の前面には複数の操作ボタンが配列され、送話部の内部にマイクが内蔵されている。また、表示部１００２の受話部の内部にはスピーカが配置されている。
【００６７】
上記の表示部１００２においては、ケース体の内部に回路基板１１００が配置され、この回路基板１１００に対して上述の入力装置付電気光学装置２００が実装されている。ケース体内に設置された電気光学装置２００は、上記入力装置２２０の機能により表示窓２００Ａに触れることによってその接触位置に応じた入力操作を行うことができるとともに、この表示窓２００Ａを通して表示画面を視認することができるように構成されている。
【００６８】
尚、本発明は、上述の図示例にのみ限定されるものではなく、本発明の要旨を逸脱しない範囲内において種々変更を加え得ることは勿論である。たとえば、上記実施形態では、電気光学装置として液晶表示装置を用いた場合の具体的構成例について説明したが、本発明は液晶装置に限定されるものではなく、有機エレクトロルミネッセンス装置、プラズマディスプレイ装置、フィールドエミッション電気光学装置など、種々の電気光学装置にも適用できるものである。
【図面の簡単な説明】
【図１】本発明の第１実施形態を示す概略構成分解斜視図。
【図２】第１実施形態の入力装置の構成を示す分解斜視図。
【図３】第１実施形態の構成例を示す概略縦断面図。
【図４】第２実施形態の構成例を示す概略縦断面図。
【図５】第１実施形態の細部を示す拡大部分断面図。
【図６】第３実施形態の構成例を示す概略縦断面図。
【図７】第４実施形態の構成例を示す概略縦断面図。
【図８】第５実施形態の入力装置の構成例を示す分解斜視図。
【図９】第５実施形態の入力装置の構成例を示す縦断面図。
【図１０】第６実施形態の入力装置の構成例を示す縦断面図。
【図１１】従来の入力装置付電気光学装置の構成例を示す概略斜視図。
【図１２】本発明の電子機器の表示系の構成を示す概略構成図。
【図１３】本発明の電子機器の例を示す斜視図。
【符号の説明】
２００…入力装置付電気光学装置、２１０…電気光学装置、２１１，２１２…基板、２１５…配線部材、２１６…導電接続パターン、２１７…配線、２１７ａ…検出端子、２１０ａ…配線、２１０ｂ…入力端子、２２０…入力装置、２２１…基板、２２２，２２４…検出フィルム、２２３…絶縁フィルム、２３０…導電接続部材
【図１】
2004213413.tif 000003
【図２】
2004213413.tif 000004
【図３】
2004213413.tif 000005
【図４】
2004213413.tif 000006
【図５】
2004213413.tif 000007
【図６】
2004213413.tif 000008
【図７】
2004213413.tif 000009
【図８】
2004213413.tif 000010
【図９】
2004213413.tif 000011
【図１０】
2004213413.tif 000012
【図１１】
2004213413.tif 000013
【図１２】
2004213413.tif 000014
【図１３】
2004213413.tif 000015